(57)【要約】【課題】デラミネーションを抑制でき、かつ、外観安定性に優れる液体洗浄剤の提供。【解決手段】（Ａ）成分：ノニオン界面活性剤と、（Ｂ）成分：下記一般式（１）で表される溶剤と、（Ｃ）成分：芳香族スルホン酸又はその塩と、を含有する液体洗浄剤。ＨＯ−（ＣＨ２）ｎ−ＯＨ  ・・・（１）ただし、式（１）中のｎは２〜５の数である。前記液体洗浄剤は、更に、（Ｄ）成分：高級脂肪酸塩を除くアニオン界面活性剤を含有することが好ましい。【選択図】なし【特許請求の範囲】
【請求項１】
（Ａ）成分：ノニオン界面活性剤と、
（Ｂ）成分：下記一般式（１）で表される溶剤と、
（Ｃ）成分：芳香族スルホン酸又はその塩と、を含有することを特徴とする液体洗浄剤。
ＨＯ−（ＣＨ２）ｎ−ＯＨ  ・・・（１）
ただし、式（１）中のｎは２〜５の数である。
【請求項２】
更に、（Ｄ）成分：高級脂肪酸塩を除くアニオン界面活性剤を含有することを特徴とする請求項１に記載の液体洗浄剤。
【請求項３】
請求項１又は請求項２に記載の液体洗浄剤が、多層フィルムで構成された容器に充填されてなることを特徴とする洗剤製品。
【発明の詳細な説明】
【技術分野】
【０００１】
本発明は、液体洗浄剤及び洗剤製品に関する。
【背景技術】
【０００２】
近年、特に繊維製品用の液体洗浄剤においては、皮脂汚れに対する洗浄のニーズが高まっている。そのため、繊維製品用等の液体洗浄剤には、皮脂汚れに対する洗浄力に優れるノニオン界面活性剤が主剤として用いられるようになった。
ノニオン界面活性剤には、ゲル化を生じる配合濃度の範囲が存在する。そのため、ノニオン界面活性剤を含有する液体洗浄剤には、ゲル化を抑制し液安定性を高めるために溶剤が配合されることがある。
しかしながら、ノニオン界面活性剤と溶剤を含む液体洗浄剤を、多層フィルムで構成された容器に充填すると、容器を構成する多層フィルムが層間で分離（デラミネーション）することがあった。
特許文献１には、特定のアミン型アルカリ剤と溶剤を含有する液体洗浄剤が、袋状容器のヒートシール部分の剥離の抑制効果に優れることが開示されている。
しかし、特許文献１の液体洗浄剤は、台所等に付着した油汚れを洗浄対象とするものであり、近年の繊維製品用の液体洗浄剤のようなノニオン界面活性剤を主剤とするものではなかった。
【先行技術文献】
【特許文献】
【０００３】
【特許文献１】特開２００５−９７４９６号公報
【発明の概要】
【発明が解決しようとする課題】
【０００４】
本発明は、デラミネーションを抑制でき、かつ、外観安定性に優れるノニオン界面活性剤含有の液体洗浄剤を目的とする。
【課題を解決するための手段】
【０００５】
本発明者らは、鋭意検討した結果、以下の液体洗浄剤が、上記課題を解決できることを見出した。
すなわち本発明は、以下の構成を有する。
［１］（Ａ）成分：ノニオン界面活性剤と、（Ｂ）成分：下記一般式（１）で表される溶剤と、（Ｃ）成分：芳香族スルホン酸又はその塩と、を含有することを特徴とする液体洗浄剤。
ＨＯ−（ＣＨ２）ｎ−ＯＨ  ・・・（１）
ただし、式（１）中のｎは２〜５の数である。
［２］更に、（Ｄ）成分：高級脂肪酸塩を除くアニオン界面活性剤を含有することを特徴とする［１］に記載の液体洗浄剤。
［３］［１］又は［２］に記載の液体洗浄剤が、多層フィルムで構成された容器に充填されてなることを特徴とする洗剤製品。
【発明の効果】
【０００６】
本発明の液体洗浄剤は、デラミネーションの抑制効果に優れ、かつ、外観安定性に優れる。
【発明を実施するための形態】
【０００７】
＜液体洗浄剤＞
本発明の液体洗浄剤は、（Ａ）〜（Ｃ）成分を含有する組成物である。
【０００８】
＜（Ａ）成分＞  
（Ａ）成分は、ノニオン界面活性剤であり、液体洗浄剤に洗浄力を付与するために用いられる。
（Ａ）成分としては、ポリオキシアルキレン型ノニオン界面活性剤が挙げられる。
ポリオキシアルキレン型ノニオン界面活性剤としては、下記一般式（ａ１）で表される化合物又は下記一般式（ａ２）で表される化合物が挙げられる。
Ｒ１−Ｘ−［（ＥＯ）ｓ／（ＰＯ）ｔ］−Ｒ２    ・・・（ａ１）
［式中、Ｒ１は炭素数８〜１８の炭化水素基である。ＸはＯ、ＣＯＯ又はＣＯＮＨである。Ｒ２は水素原子、炭素数１〜６のアルキル基又は炭素数２〜６のアルケニル基である。ＥＯはオキシエチレン基であり、ｓはＥＯの平均繰返し数（即ち、エチレンオキシドの平均付加モル数）を表し、３〜２０の数である。ＰＯはオキシプロピレン基であり、ｔはＰＯの平均繰返し数（即ち、プロピレンオキシドの平均付加モル数）を表し、０〜６の数である。］
【０００９】
式（ａ１）中、Ｒ１の炭素数は、１０〜１８が好ましい。Ｒ１の炭素数が前記範囲であると、良好な洗浄力が得られやすくなる。
Ｒ１は、直鎖でも分岐鎖でもよく、環状の構造を含んでもよい。Ｒ１は、不飽和結合を有していてもよく、単一鎖長のものでもよいし、複数の鎖長のものの混合物でもよい。
Ｒ１としては、脂肪族炭化水素基が好ましく、直鎖もしくは分岐鎖のアルキル基又は直鎖もしくは分岐鎖のアルケニル基がより好ましい。
ＸはＯ、ＣＯＯが好ましい。
Ｒ２におけるアルキル基の炭素数は、１〜６であり、１〜３が好ましい。Ｒ２におけるアルケニル基の炭素数は、２〜６であり、２又は３が好ましい。
【００１０】
式（ａ１）で表される化合物は、１級または２級の高級アルコール（Ｒ１−ＯＨ）、高級脂肪酸（Ｒ１−ＣＯＯＨ）又は高級脂肪酸アミド（Ｒ１−ＣＯＮＨ２）［以下、これらをまとめて「高級アルコール等」と記載することがある］に、エチレンオキシド、又はエチレンオキシドとプロピレンオキシドとを付加して得ることができる。
【００１１】
ｓは３〜２０の数であり、５〜１８の数が好ましく、１０〜１６の数がより好ましく、１４〜１６の数が特に好ましい。ｓが２０以下であると、ＨＬＢ値が高くなりすぎず洗浄効果が高まりやすくなる。また、ｓが３以上であると、原料由来の臭気が抑制されやすくなる。
ｔは０〜６の数であり、０〜３の数が好ましい。ｔが６超であると、高温下での保存安定性が低下するおそれがある。
ｔが０超の場合、つまり（ａ１）で表される化合物が、エチレンオキシド及びプロピレンオキシドの両方が付加された付加体を含む場合、前記付加体におけるエチレンオキシド及びプロピレンオキシドの付加方法は、特に限定されず、例えばランダム付加でも、ブロック付加でもよい。ブロック付加方法としては、例えば、エチレンオキシドを付加した後、プロピレンオキシドを付加する方法、プロピレンオキシドを付加した後、エチレンオキシドを付加する方法等が挙げられる。
【００１２】
エチレンオキシド又はプロピレンオキシドの付加モル数分布は特に限定されず、アルカリ触媒を用いて、高級アルコール等にエチレンオキシドやプロピレンオキシドを付加させた、エチレンオキシド又はプロピレンオキシドの付加モル数分布が比較的広い分布となるものや、特公平６−１５０３８号公報に記載の金属イオンを添加した酸化マグネシウム等のアルコキシル化触媒を用いて、高級アルコール等にエチレンオキシドやプロピレンオキシドを付加させた、エチレンオキシド又はプロピレンオキシドの付加モル数分布が比較的狭い分布となるものを使用できる。
【００１３】
（ａ１）で表される化合物としては、ＸがＯである化合物（アルキル（アルケニル）エーテル型ノニオン界面活性剤）、又はＸがＣＯＯでありＲ２が炭素数１〜６のアルキル基または炭素数２〜６のアルケニル基である化合物（脂肪酸アルキル（アルケニル）エステル型ノニオン界面活性剤）が好ましい。
式（ａ１）中のＸがＯである場合、Ｒ１の炭素数は、１０〜１８が好ましい。Ｒ１の炭素数が前記範囲であると、良好な洗浄力が得られやすくなる。Ｒ２は水素原子が好ましい。ｓは１５〜２０の数が好ましい。
式（ａ１）中のＸがＣＯＯである場合、Ｒ１の炭素数は９〜１８が好ましく、１１〜１８がより好ましい。Ｒ１の炭素数が前記範囲であると、良好な洗浄力が得られやすくなる。Ｒ２は炭素数１〜６のアルキル基が好ましく、炭素数１〜３のアルキル基がより好ましい。ｓは１５〜２０の数が好ましい。
上記ＸがＣＯＯである化合物としては、Ｒ２が炭素数１〜６のアルキル基であり、ｔが０である化合物、すなわちポリオキシエチレン脂肪酸アルキルエステルが好ましく、Ｒ２がメチル基であるポリオキシエチレン脂肪酸メチルエステル（以下、「ＭＥＥ」と記載することがある）がより好ましい。
【００１４】
ＸがＯまたはＣＯＯである化合物としては、例えば、三菱化学社製の商品名ダイヤドール（Ｃ１３、Ｃは炭素数を示し以下同様である）、Ｓｈｅｌｌ社製の商品名Ｎｅｏｄｏｌ（Ｃ１２／Ｃ１３）、Ｓａｓｏｌ社製の商品名Ｓａｆｏｌ２３（Ｃ１２／Ｃ１３）等のアルコールに対して、１２モル相当又は１５モル相当のエチレンオキシドを付加したノニオン界面活性剤；Ｐ＆Ｇ社製の商品名ＣＯ−１２１４やＣＯ−１２７０等の天然アルコールに対して、１２モル相当又は１５モル相当のエチレンオキシドを付加したノニオン界面活性剤；ブテンを３量化して得られるＣ１２アルケンをオキソ法に供して得られるＣ１３アルコールに対して、７モル相当のエチレンオキシドを付加したノニオン界面活性剤（ＢＡＳＦ社製、商品名Ｌｕｔｅｎｓｏｌ  ＴＯ７）；ペンタノールをガーベット反応に供して得られるＣ１０アルコールに対して、６モル相当、７モル相当又は９モル相当のエチレンオキシドを付加したノニオン界面活性剤（ＢＡＳＦ社製、商品名Ｌｕｔｅｎｓｏｌ  ＸＡ６０、Ｌｕｔｅｎｓｏｌ  ＸＬ７０、Ｌｕｔｅｎｓｏｌ  ＸＰ９０）；炭素数１２〜１４の第２級アルコールに対して、９モル相当又は１５モル相当のエチレンオキシドを付加したノニオン界面活性剤（日本触媒社製、商品名ソフタノール９０、ソフタノール１５０）；ヤシ脂肪酸メチル（ラウリン酸／ミリスチン酸＝８／２）に対して、アルコキシル化触媒を用いて、１５モル相当のエチレンオキシドを付加したノニオン界面活性剤（ポリオキシエチレンヤシ脂肪酸メチルエステルＥＯ１５モル）等が挙げられる。
【００１５】
Ｒ３−Ｏ−［（ＥＯ）ｐ／（ＰＯ）ｑ］−（ＥＯ）ｒ−Ｈ    ・・・（ａ２）
［式中、Ｒ３は炭素数８〜１８の炭化水素基である。ＥＯはオキシエチレン基であり、ｐ、ｒはＥＯの平均繰返し数（即ち、エチレンオキシドの平均付加モル数）を表し、ＰＯはオキシプロピレン基であり、ｑはＰＯの平均繰返し数（即ち、プロピレンオキシドの平均付加モル数）を表し、ｐ＞１、ｒ＞１、０＜ｑ≦３、ｐ＋ｒ＝１０〜２０を満たす数である。］
【００１６】
式（ａ２）中、Ｒ３の炭素数は、１０〜１８が好ましい。Ｒ３は、直鎖でも分岐鎖でもよく、環状の構造を含んでもよい。Ｒ３は、不飽和結合を有していてもよく、単一鎖長のものでもよいし、複数の鎖長のものの混合物でもよい。Ｒ３としては、脂肪族炭化水素基が好ましく、直鎖もしくは分岐鎖のアルキル基又は直鎖もしくは分岐鎖のアルケニル基がより好ましい。
【００１７】
式（ａ２）中、ＥＯとＰＯとの比率は、ｑ／（ｐ＋ｒ）で表される比で０．１〜０．５が好ましく、０．１〜０．３がより好ましい。
ｑ／（ｐ＋ｒ）で表される比が上記下限値以上であると、泡が立ちすぎず、泡立ちの適正化が図られやすい。上記上限値以下であると、液体洗浄剤に配合された場合に、適度な粘度が得られやすくなり、さらに、ゲル化が抑制されやすくなる。
【００１８】
式（ａ２）中、［（ＥＯ）ｐ／（ＰＯ）ｑ］において、ＥＯ及びＰＯは、ランダム状に存在してもよいし、ブロック状に存在してもよい。
【００１９】
式（ａ２）で表される化合物は、公知の方法で製造することができる。前記化合物の製造方法としては、例えば、天然油脂から誘導されたＲ３の脂肪族炭化水素基を有するアルコールに対して、エチレンオキシドとプロピレンオキシドを、この順で付加した後、エチレンオキシドを付加する方法、前記アルコールに対して、エチレンオキシドとプロピレンオキシドとを混合付加（ランダム付加）した後、エチレンオキシドを付加する方法等が挙げられる。
【００２０】
（Ａ）成分として、式（ａ２）で表される化合物を用いると、適度な粘度が得られやすくなり、さらに、ゲル化が抑制されやすくなる。また、液体洗浄剤の泡立ち性が向上されやすくなり、良好な生分解性が得られやすくなる。
【００２１】
（Ａ）成分としては、式(ａ１)で表される化合物が好ましい。式（ａ１）で表される化合物を用いることで液体洗浄剤の洗浄力がより高まりやすくなる。
さらに、式（ａ１）で表される化合物の中でも、炭素数１２〜１４の第２級アルコールに対して、９モル相当もしくは１５モル相当のエチレンオキシドを付加したアルキル（アルケニル）エーテル型ノニオン界面活性剤（日本触媒社製、商品名ソフタノール９０、ソフタノール１５０）、又は、脂肪酸アルキル（アルケニル）エステル型ノニオン界面活性剤が好ましく、脂肪酸アルキル（アルケニル）エステル型ノニオン界面活性剤がより好ましい。上記化合物を用いることで液体洗浄剤の外観安定性がより高まりやすくなる。
（Ａ）成分は、いずれか１種が単独で用いられてもよいし、２種以上が組み合わされて用いられてもよい。
【００２２】
（Ａ）成分の含有量は、液体洗浄剤の総質量に対して、１０〜７０質量％が好ましく、２０〜６０質量％がより好ましく、３５〜５０質量％がさらに好ましい。（Ａ）成分の含有量が上記下限値以上であれば、液体洗浄剤の洗浄力がより高まりやすくなる。また、（Ａ）成分の含有量が上記上限値以下であれば、デラミネーションを抑制しやすくなる。
【００２３】
＜（Ｂ）成分＞  
（Ｂ）成分は、下記一般式（１）で表される溶剤である。
ＨＯ−（ＣＨ２）ｎ−ＯＨ  ・・・（１）
（ただし、式（１）中のｎは２〜５の数である。）
本発明の液体洗浄剤は、（Ｂ）成分を含有することで外観安定性が高められる。さらに、（Ａ）成分の樹脂への浸透を抑制できデラミネーションを抑制できる。また、（Ｂ）成分は揮発性が低いため、液体洗浄剤を放置等して水分が揮発した場合のゲルの形成を抑制できる。
【００２４】
（Ｂ）成分としては、エチレングリコール、１，３−プロパンジオール、１,４−ブタンジオール、１,５−ペンタンジオールが挙げられる。
（Ｂ）成分は、いずれか１種が単独で用いられてもよいし、２種以上が組み合わされて用いられてもよい。
【００２５】
（Ｂ）成分の含有量は、液体洗浄剤の総質量に対して、１〜２０質量％が好ましく、２〜１５質量％がより好ましく、３〜１０質量％がさらに好ましい。（Ｂ）成分の含有量が上記下限値以上であれば、デラミネーションが抑制されやすくなる。（Ｂ）成分の含有量が上記上限値以下であれば、液体洗浄剤の低温安定性が高まりやすくなる。
【００２６】
液体洗浄剤中の（Ａ）成分と（Ｂ）成分の含有比率（質量比）は、特に限定されないが、（Ｂ）成分／（Ａ）成分で表される質量比［以下、「Ｂ／Ａ比」ともいう］は、０．０１〜２が好ましく、０．０３〜０．７５がより好ましく、０．０６〜０．５がさらに好ましい。Ｂ／Ａ比が、前記の好ましい範囲内であれば、デラミネーションが抑制されやすくなる。
【００２７】
＜（Ｃ）成分＞
（Ｃ）成分は、芳香族スルホン酸又はその塩である。本発明の液体洗浄剤は、（Ｃ）成分を含有することで、デラミネーションが抑制される。特に（Ｃ）成分が（Ｂ）成分と併用されることで、デラミネーションの抑制効果が高められる。
【００２８】
（Ｃ）成分としては、例えば、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩等が挙げられる。塩としては、ナトリウム塩、カリウム塩、カルシウム塩、マグネシウム塩、アンモニウム塩又はアルカノールアミン塩等が挙げられる。
（Ｃ）成分は、いずれか１種が単独で用いられてもよいし、２種以上が組み合わされて用いられてもよい。
【００２９】
（Ｃ）成分の含有量は、液体洗浄剤の総質量に対して、０．０１〜１５質量％が好ましく、０．１〜５質量％がより好ましい。（Ｃ）成分の含有量が、前記の好ましい範囲であると、デラミネーションが抑制されやすくなる。
【００３０】
液体洗浄剤中の（Ａ）成分と（Ｃ）成分の含有比率（質量比）は、特に限定されないが、（Ａ）成分／（Ｃ）成分で表される質量比［以下、「Ａ／Ｃ比」ともいう］は、０．６〜７０００が好ましく、４〜５００がより好ましい。Ａ／Ｃ比が、前記好ましい範囲であると、デラミネーションの抑制効果が高められ、且つ、液体洗浄剤の液安定性が維持されやすくなる。
【００３１】
＜（Ｄ）成分＞
（Ｄ）成分は、高級脂肪酸塩を除くアニオン界面活性剤である。本発明の液体洗浄剤は（Ｄ）成分を含有することで、デラミネーションが抑制されやすくなるとともに、洗浄力がより高められやすくなり、また、液体洗浄剤を放置等して水分が揮発した場合のゲルの形成が抑制されやすくなる。
なお、本発明において、高級脂肪酸塩とは、炭素数８〜２２の脂肪酸塩を意味する。
【００３２】
（Ｄ）成分としては、高級脂肪酸塩を除く公知のアニオン界面活性剤の中から適宜選択されたものを用いることができる。
（Ｄ）成分としては、例えば、直鎖アルキルベンゼンスルホン酸又はその塩；α−オレフィンスルホン酸塩；直鎖または分岐鎖のアルキル硫酸エステル塩；アルキルエーテル硫酸エステル塩またはアルケニルエーテル硫酸エステル塩；アルキル基を有するアルカンスルホン酸塩；α−スルホ脂肪酸エステル塩；アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【００３３】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩またはアルケニルエーテル硫酸エステル塩としては、炭素数１０〜２０の直鎖又は分岐鎖のアルキル基もしくはアルケニル基を有し、平均１〜１０モルのエチレンオキシドと、平均０〜６モルのプロピレンオキシドを付加したポリオキシアルキレンアルキルエーテル硫酸エステル塩又はポリオキシアルキレンアルケニルエーテル硫酸エステル塩が好ましい。前記ポリオキシアルキレンアルキルエーテル硫酸エステル塩又はポリオキシアルキレンアルケニルエーテル硫酸エステル塩が、エチレンオキシドとプロピレンオキシドの両方が付加された付加体である場合、エチレンオキシドおよびプロピレンオキシドの付加方法は、特に限定されず、例えばランダム付加でも、ブロック付加でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレンオキシドを付加し、さらにエチレンオキシドを付加する方法等が挙げられる。
アルカンスルホン酸塩としては、炭素数１０〜２０のものが好ましく、１４〜１７のものがより好ましい。また、該アルキル基が２級アルキル基である２級アルカンスルホン酸塩が好ましい。
α−スルホ脂肪酸エステル塩としては、炭素数１０〜２０のα−スルホ脂肪酸エステル塩が好ましい。
【００３４】
これらの中でも、直鎖アルキルベンゼンスルホン酸又はその塩、α−オレフィンスルホン酸塩、ポリオキシエチレンアルキルエーテル硫酸エステル塩、アルカンスルホン酸塩が好ましい。
（Ｄ）成分は、いずれか１種が単独で用いられても、２種以上が組み合わされて用いられてもよい。
【００３５】
（Ｄ）成分の含有量は、液体洗浄剤の総質量に対して、１〜３０質量％が好ましく、５〜３０質量％がより好ましい。（Ｄ）成分の含有量が、前記好ましい範囲であればデラミネーションの抑制効果がより高められやすくなる。
【００３６】
液体洗浄剤中の（Ａ）成分と（Ｄ）成分の含有比率（質量比）は、特に限定されないが、（Ａ）成分／（Ｄ）成分で表される質量比［以下、「Ａ／Ｄ比」ともいう］は、０．３〜７０が好ましく、０．６〜１０がより好ましい。Ａ／Ｄ比が前記好ましい範囲であれば、デラミネーションの抑制効果がより高められやすくなる。
【００３７】
液体洗浄剤中の（Ｂ）成分と（Ｄ）成分との含有比率（質量比）は、特に限定されないが、（Ｂ）成分／（Ｄ）成分で表される質量比［以下、「Ｂ／Ｄ比」ともいう］は、０．０３〜２０が好ましく、０．０６〜３がより好ましい。Ｂ／Ｄ比が前記の好ましい範囲であれば、デラミネーションの抑制効果がより高められやすくなる。
【００３８】
本発明の液体洗浄剤は、上記（Ａ）〜（Ｄ）成分以外に、更に下記の成分を含有することができる。
【００３９】
＜溶媒＞
本発明の液体洗浄剤は、調製のしやすさ、使用する際の水への溶解性等の観点から、溶媒として水を含有することが好ましい。
液体洗浄剤中の水の含有量は、（Ａ）〜（Ｄ）成分及びその他の任意成分の配合量に応じて適宜に設定できるが、通常、液体洗浄剤の総質量に対して、１０〜９０質量％であり、２０〜８０質量％が好ましい。
【００４０】
＜その他の成分＞
本発明の液体洗浄剤は、その他の成分として、上記の成分以外に、液体洗浄剤に通常用いられる成分を配合することができ、例えば、（Ａ）成分及び（Ｄ）成分以外の界面活性剤、高級脂肪酸又はその塩、減粘剤、アルカリ剤、金属イオン捕捉剤（キレート剤）、酸化防止剤、保存安定性向上剤、防腐剤、風合い向上剤、蛍光増白剤、移染防止剤、再汚染防止剤、パール剤、ソイルリリース剤、酵素（プロテアーゼ、リパーゼ、セルラーゼ等）、酵素安定化剤、着香剤、着色剤、乳濁化剤、エキス類、尿素、ｐＨ調整剤等が挙げられる。
【００４１】
上記（Ａ）成分及び（Ｄ）成分以外の界面活性剤としては、カチオン界面活性剤、両性界面活性剤が挙げられる。
カチオン界面活性剤としては、アルキルトリメチルアンモニウム塩、ジアルキルジメチルアンモニウム塩、アルキルベンジルジメチルアンモニウム塩、アルキルピリジニウム塩等が挙げられる。
両性界面活性剤としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型、リン酸型等の両性界面活性剤が挙げられる。
【００４２】
高級脂肪酸又はその塩は、炭素数８〜２２の脂肪酸又はその塩を意味する。高級脂肪酸又はその塩としては、炭素数１０〜２０の脂肪酸又はその塩が好ましく、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸又はその塩、ヤシ油脂肪酸、牛脂脂肪酸等の混合脂肪酸又はその塩等が挙げられる。これらの塩としては、ナトリウム、カリウム等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩等が挙げられる。
高級脂肪酸又はその塩は、いずれか１種が単独で用いられてもよいし、２種以上が組み合わされて用いられてもよい。
高級脂肪酸又はその塩の含有量は、液体洗浄剤の総質量に対して、０．０１〜５質量％が好ましい。
【００４３】
減粘剤（ただし、（Ｂ）成分及び（Ｃ）成分は含まれない）としては、エタノール、プロパノール、ポリエチレングリコール等が挙げられる。減粘剤を配合することで、液体洗浄剤のゲル化により生じる、該洗浄剤の液表面の皮膜の形成を抑制しやすくなる。
減粘剤は、いずれか１種が単独で用いられてもよいし、２種以上が組み合わされて用いられてもよい。減粘剤の含有量は、液体洗浄剤の総質量に対して、０．１〜１０質量％が好ましい。
【００４４】
アルカリ剤としては、例えば、モノエタノールアミン、ジエタノールアミン、トリエタノールアミン等のアルカノールアミンが挙げられる。
アルカリ剤は、いずれか１種が単独で用いられてもよいし、２種以上が組み合わされて用いられてもよい。
アルカリ剤の含有量は、液体洗浄剤の総質量に対して、０．５〜５質量％が好ましい。
【００４５】
金属イオン捕捉剤としては、例えば、マロン酸、コハク酸、リンゴ酸、ジグリコール酸、酒石酸、クエン酸等が挙げられる。
金属イオン捕捉剤は、いずれか１種が単独で用いられてもよいし、２種以上が組み合わされて用いられてもよい。
金属イオン捕捉剤の含有量は、液体洗浄剤の総質量に対して、０．１〜２０質量％が好ましい。
【００４６】
酸化防止剤としては、特に限定はされないが、良好な洗浄力と液安定性が得られやすい点から、フェノール系酸化防止剤を用いることが好ましい。フェノール系酸化防止剤としては、ジブチルヒドロキシトルエン、ブチルヒドロキシアニソール、２，２’−メチレンビス（４−メチル−６−ｔ−ブチルフェノール）、ｄｌ−α−トコフェロールがより好ましく、ジブチルヒドロキシトルエン、ｄｌ−α−トコフェロールが特に好ましい。
酸化防止剤は、いずれか１種が単独で用いられてもよいし、２種以上が組み合わされて用いられてもよい。
酸化防止剤の含有量は、液体洗浄剤の総質量に対して、０〜２質量％が好ましく、０．０１〜２質量％がより好ましい。
【００４７】
保存安定性向上を目的として安息香酸やその塩（防腐剤としての効果もある）等の保存安定性向上剤が液体洗浄剤に配合されてもよい。保存安定性向上剤の配合量は、液体洗浄剤の総質量に対して、０．１〜５質量％が好ましい。
風合い向上を目的として、ジメチルシリコーン、ポリエーテル変性シリコーン、アミノ変性シリコーン等の風合い向上剤が液体洗浄剤に配合されてもよい。風合い向上剤の配合量は、液体洗浄剤の総質量に対して、０〜５質量％が好ましい。
白色衣類の白度向上を目的として、ジスチリルビフェニル型等の蛍光増白剤が液体洗浄剤に配合されてもよい。蛍光増白剤の配合量は、液体洗浄剤組成物の総質量に対して、０〜１質量％が好ましい。
再汚染防止を目的として、ポリビニルピロリドン、カルボキシメチルセルロース等の再汚染防止剤が液体洗浄剤に配合されてもよい。再汚染防止剤の配合量は、液体洗浄剤の総質量に対して、０〜２質量％が好ましい。
【００４８】
商品の付加価値向上等を目的として、着香剤、着色剤、乳濁化剤、天然物エキスなどのエキス類が液体洗浄剤に配合されてもよい。
着香剤としては、例えば、特開２００２−１４６３９９号公報の表１１〜１８に記載の香料組成物Ａ、Ｂ、Ｃ、Ｄ等が挙げられる。着香剤の配合量は、液体洗浄剤の総質量に対して、０．１〜１質量％が好ましい。
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。着色剤の配合量は、液体洗浄剤の総質量に対して、０．００００５〜０．００５質量％が好ましい。
乳濁化剤としては、ポリスチレンエマルション、ポリ酢酸ビニルエマルジョン等が挙げられ、通常、固形分３０〜５０質量％のエマルションが好適に用いられる。乳濁化剤としては、例えば、ポリスチレンエマルション（サイデン化学社製：商品名サイビノールＲＰＸ−１９６  ＰＥ−３、固形分４０質量％）等が挙げられる。乳濁化剤の配合量は、液体洗浄剤の総質量に対して、０〜０．５質量％が好ましい。
エキス類としては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキス等が挙げられる。エキス類の配合量は、液体洗浄剤の総質量に対して、０〜０．５質量％が好ましい。
【００４９】
ｐＨ調整剤としては、例えば、硫酸、塩酸、リン酸、水酸化ナトリウム、水酸化カリウム、モノエタノールアミン、ジエタノールアミン、トリエタノールアミン等のアルカノールアミン、アンモニア等が挙げられる。これらの中でも、液体洗浄剤の経時安定性が高められやすくなる点から、硫酸、水酸化ナトリウム、水酸化カリウム、アルカノールアミンが好ましく、硫酸、水酸化ナトリウムがより好ましい。
ｐＨ調整剤は、いずれか１種が単独で用いられてもよいし、２種以上が組み合わされて用いられてもよい。
【００５０】
本発明の液体洗浄剤は、２５℃におけるｐＨが４〜９であることが好ましく、ｐＨが６〜９であることがより好ましい。ｐＨが前記好ましい範囲であると、液体洗浄剤の保存安定性が良好に維持されやすくなる。
なお、本発明における液体洗浄剤の２５℃におけるｐＨは、試料を２５℃に調整し、ｐＨメーター（例えば、東亜ディーケーケー株式会社製の製品名「ＨＭ−３０Ｇ」を使用）等により測定される値を示す。
【００５１】
＜液体洗浄剤の製造方法＞
本発明の液体洗浄剤は、例えば上記（Ａ）成分〜（Ｃ）成分と、必要に応じて任意成分とを、溶媒である水に分散し、ｐＨ調整剤を用いて所定のｐＨに調整することで製造される。
本発明の液体洗浄剤の製造方法としては、（Ｂ）成分及び（Ｃ）成分と、必要に応じて任意成分とを水に分散し、これに、必要に応じて（Ｄ）成分を加えた後、ｐＨを７に調整し、これに、さらに（Ａ）成分を加えて、再度ｐＨを所定の値（例えばｐＨ＝７）に調整する方法が好ましい。
【００５２】
＜容器＞
本発明の液体洗浄剤は、容器に充填されて洗剤製品とされる。容器としては、例えば、プラスチックフィルムからなる包装袋、プラスチックボトル等が挙げられる。
包装袋としては、例えば、合掌袋、三方袋、四方袋、ガゼット袋、スタンディングパウチ、これらのチャック付袋等が挙げられる。
包装袋を構成するフィルムの材質は、特に限定されないが、液体洗浄剤が充填された後、その開口部を簡便な操作でシールできるものが好ましく、シール方法との組み合わせにより適宜選択される。例えば、包装袋を構成するフィルムとしては、その少なくとも一面が熱可塑性樹脂からなる可撓性フィルムが好ましい。このようなフィルムを用い、熱可塑性樹脂の面が内側になるように製袋し、ヒートシール、超音波シール、高周波シール等によって封止することで容易に洗剤製品が得られる。あるいは、溶接によるシール方法と比較すると製造効率は低下するが、接着剤を用いて封止してもよい。
包装袋を構成するフィルムの材質としては、各種フィルムを２種類以上融着あるいは接着剤等で積層した多層フィルムが好適に使用される。多層フィルムとしては、例えば、防湿セロハン／ポリプロピレン（ＰＰ）、ＰＰ／延伸ＰＰ（ＯＰＰ）、ＯＰＰ／ポリエチレン（ＰＥ）、ナイロン（ＮＹ）／ＰＥ、ポリエチレンテレフタレート（ＰＥＴ）／ＰＥ、ＰＥＴ／ＮＹ／ＰＰ、ＮＹ／ＰＰ／エチレンビニルアルコール（ＥＶＯＨ）、ＰＥＴ／無延伸ＰＰ（ＣＰＰ）、ＮＹ／ＬＬＤＰＥ（直鎖状低密度ポリエチレン）、ＰＥＴ／ＮＹ／ＬＬＤＰＥ、ＮＹ／アルミ蒸着ＰＥＴ（ＶＭＰＥＴ）／ＬＬＤＰＥ、アルミナ蒸着フィルム／ＬＬＤＰＥ等が挙げられる。
【００５３】
また、バリア層が設けられた多層フィルムを用いることもできる。バリア層としては、アルミニウム箔等の金属箔、あるいはアルミニウム等の金属をプラスチックフィルムに蒸着した蒸着膜等が挙げられる。バリア層が形成されたものとしては、例えば、ＰＥＴ／アルミニウム箔／ＰＥＴ／ＰＥ／ＬＬＤＰＥ、ＰＥＴ／ＰＥ／アルミニウム蒸着フィルム／ＰＥ、ＯＰＰ／ＰＥＴ／アルミニウム箔／ＯＰＰ等が挙げられる。
包装袋を構成するフィルムの厚みは、材質や内容量等を勘案して決定され、例えば、３０〜２００μｍが好ましい。
【００５４】
＜液体洗浄剤の使用方法＞
本発明の液体洗浄剤の使用方法は、例えば、液体洗浄剤を洗濯時に被洗物と一緒に水に投入する方法、予め水に溶解しこれに被洗物を浸漬する方法等が挙げられる。また、液体洗浄剤を被洗物に塗布して一定時間放置し、その後、通常の洗濯を行ってもよい。
本発明の液体洗浄剤の洗浄対象としては、特に限定されないが、例えば、衣料、布帛、シーツ、カーテン等の繊維製品等が挙げられる。
【００５５】
以上、説明したとおり、本発明の衣料用洗剤は、（Ａ）成分〜（Ｃ）成分を含有するため、デラミネーションの抑制効果に優れ、かつ、外観安定性に優れる。
【実施例】
【００５６】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
【００５７】
＜Ａ成分＞
Ａ−１：ＭＥＥ、脂肪酸メチルエステルエトキシレート（脂肪酸の炭素数１６〜１８、ＥＯの平均付加モル数１５）、ライオンケミカル株式会社製、商品名「ＣＥＡＯ−９０」。
Ａ−２：ＭＥＥ。ヤシ脂肪酸メチル（質量比でラウリン酸メチル／ミリスチン酸メチル＝８／２の混合物）に、アルコキシル化触媒を用いて、１５モル相当のエチレンオキシドを付加したもの。下記合成方法により合成されたもの。
Ａ−３：ポリオキシエチレンアルキル（炭素数１２〜１４）エーテル（ＥＯの平均付加モル数１５）、ライオンケミカル株式会社製、商品名「ＬＭＡＯ−９０」。
Ａ−４：炭素数１０〜１４の第１級アルコールに対して、５モル相当のエチレンオキシドと、２モル相当のプロピレンオキシドをブロック付加したノニオン界面活性剤。下記合成方法により合成されたもの。
【００５８】
≪合成例≫Ａ−２の合成
Ａ−２を以下の合成方法に準じて合成した。
５００ｍＬビーカーに、２−エチルヘキサノール（一級試薬、関東化学株式会社製）１３７ｇと、酢酸カルシウム一水和物（特級試薬、関東化学株式会社製）４１．７ｇを入れ、パドル攪拌翼により室温（２５℃）で混合して分散物を得た（分散工程）。前記分散物を攪拌しながら、滴下ロートによって、硫酸（特級試薬、関東化学株式会社製）２０．９ｇを１０分間かけて添加し混合した（混合工程）。混合工程では硫酸の添加で発熱するので、ビーカーを水浴して冷却し、反応温度を３０〜５０℃に制御した。硫酸を添加した後、５０℃に保ちながら、さらに２時間攪拌し（触媒熟成工程）、アルコキシル化触媒を得た。
オートクレーブに、上記アルコキシル化触媒１２．５ｇと、ラウリン酸メチル（パステルＭ１２、ライオンケミカル株式会社製）４６２ｇと、ミリスチン酸メチル（パステルＭ１４、ライオンケミカル株式会社製）１６６ｇとを入れ、攪拌した。攪拌しながら、オートクレーブ内を窒素置換し、１００℃に昇温し、１．３ｋＰａ以下の減圧条件で３０分間、脱水を行った。次いで、１６０℃に昇温し、０．１〜０．５ＭＰａの条件で、エチレンオキシド（ＥＯ）１８７６ｇ（ラウリン酸メチルとミリスチン酸メチルとの合計の１５倍モル）を導入して攪拌した（付加反応工程）。さらに、付加反応温度で０．５時間攪拌した（熟成工程）後、８０℃に冷却し、反応粗製物（脂肪酸メチルエステルエトキシレート（ＭＥＥ）、ＥＯ平均付加モル数＝１５）２５１６ｇを得た。前記反応粗製物をろ過して触媒を除去したものをＡ−２とした。
【００５９】
≪合成例≫Ａ−４の合成
炭素数１０〜１４の第１級アルコールと、３０質量％ＮａＯＨ水溶液を耐圧型反応容器中に仕込み、容器内を窒素置換した。次に、温度１００℃、圧力２．０ｋＰａ以下で３０分間脱水した後、温度を１６０℃まで昇温し、エチレンオキシド（ガス状）を所定量に達するまで少量ずつ添加して反応させた。エチレンオキシドの添加終了後、３０分間熟成した。その後、温度を１５０℃とし、プロピレンオキシドを所定量に達するまで少量ずつ添加して反応させた。プロピレンオキシドの添加終了後、６０分間熟成した。
温度を１００℃以下まで冷却した後、反応物の１質量％水溶液のｐＨが約７になるように、７０質量％ｐ−トルエンスルホン酸を加えて中和し、炭素数１０〜１４の第１級アルコールに対して、５モル相当のエチレンオキシドと、２モル相当のプロピレンオキシドをブロック付加したノニオン界面活性剤を得た。
【００６０】
＜Ｂ成分＞
Ｂ−１：１，３−プロパンジオール。
Ｂ−２：１，４−ブタンジオール。
Ｂ−３：１，５−ペンタンジオール。
Ｂ−４：エチレングリコール。
【００６１】
＜Ｂ’成分、Ｂ成分の比較成分＞
Ｂ’−１：ブチルカルビトール。
Ｂ’−２：１，２−プロパンジオール。
Ｂ’−３：１，３−ブタンジオール。
Ｂ’−４：イソプレングリコール。
【００６２】
＜Ｃ成分＞
Ｃ−１：パラトルエンスルホン酸。
【００６３】
＜Ｄ成分＞
Ｄ−１：直鎖アルキル（炭素数１０〜１４）ベンゼンスルホン酸ナトリウム、ライオン株式会社製、商品名「ライポンＬＨ−２００」。
Ｄ−２：２級アルカンスルホン酸ナトリウム、クラリアント・ジャパン社製、商品名「ＳＡＳ３０」。
Ｄ−３：ポリオキシエチレンアルキル（炭素数１２〜１３）エーテル硫酸ナトリウム。［ＥＯの平均付加モル数２、原料アルコール：ネオドール２３（商品名）、シェル社製］。
【００６４】
＜その他の成分＞
・減粘剤：エタノール（商品名「特定アルコール９５度合成」、日本アルコール販売株式会社製）。
・尿素（試薬、純正化学株式会社製）。
・ｐＨ調整剤：水酸化ナトリウム（鶴見曹達株式会社製）・・・・適量、硫酸（東邦亜鉛株式会社製）・・・・適量。
【００６５】
≪共通成分ａ≫
表中の共通成分ａは以下の組成である。各成分の末尾に記載の数値は、液体洗浄剤中の含有量である。
・金属イオン補足剤（キレート剤）：クエン酸３ナトリウム２水塩（扶桑化学工業株式会社製）・・・・０．１質量％。
・高級脂肪酸：ヤシ脂肪酸（日油株式会社製）・・・・０．５質量％。
・減粘剤：ポリエチレングリコール（ライオン株式会社製、商品名「ＰＥＧ＃１０００」）・・・・１質量％。
・アルカリ剤：モノエタノールアミン・・・・２質量％。
・保存安定性向上剤：安息香酸ナトリウム（商品名「安息香酸ナトリウム」、東亜合成株式会社製）・・・・０．５質量％。
・ソイルリリース剤：ＳＲＮ−１７０（商品名、クラリアント・ジャパン社製）・・・・１質量％。
・酵素：プロテアーゼ（商品名「コロナーゼ４８Ｌ」、ノボザイムス社製）・・・・０．４質量％。
なお、酵素の含有量は、酵素製剤としてのものである。
ｐＨ調整剤の含有量「適量」は、液体洗浄剤を表中のｐＨにするのに要した量である。
水の含有量「バランス」は、液体洗浄剤全体で１００質量％とするのに必要な量である。
【００６６】
＜実施例１〜２１、比較例１〜７＞
表１〜３に示す組成に従い、５００ｍＬビーカーに、水、（Ｂ）成分及び（Ｃ）成分を入れてマグネットスターラー（ＭＩＴＡＭＵＲＡ  ＫＯＧＹＯ  ＩＮＣ．製）で攪拌した。次いで、任意成分の一部（安息香酸ナトリウム、モノエタノールアミン、ヤシ脂肪酸及び（Ｄ）成分）を加えた後、２５℃でのｐＨが７になるようにｐＨ調整剤（水酸化ナトリウムまたは硫酸）を添加した。その後、さらに（Ａ）成分及び他の任意成分（上記任意成分及び酵素以外）を加え、全体量が９５質量部となるように水を加えた。これに、酵素を加え、表中のｐＨ値となるようにｐＨ調整剤（水酸化ナトリウム又は硫酸）を添加し、全体量が１００質量部となるように水を加えて、実施例１〜９、１１、１３〜１５、１７〜２１の液体洗浄剤を製造した。
また、（Ｄ）成分を加えなかったこと以外は、実施例１と同様にして実施例１０、１２、１６の液体洗浄剤を製造した。
（Ｃ）成分及び（Ｄ）成分を加えなかったこと以外は、実施例１と同様にして比較例１の液体洗浄剤を製造した。
（Ｂ）成分及び（Ｄ）成分を加えなかったこと以外は、実施例１と同様にして比較例２の液体洗浄剤を製造した。
（Ｂ）成分を加えなかったこと以外は、実施例１と同様にして比較例３の液体洗浄剤を製造した。
（Ｂ）成分に代えて、（Ｂ’）成分を用いたこと以外は、実施例１と同様にして、比較例４〜７の液体洗浄剤を得た。
表１〜３に、得られた各例の液体洗浄剤（配合成分、含有量（質量％））を示す。
表中、空欄の配合成分がある場合、その配合成分は配合されていない。
表中、比較例４〜７のＢ／Ａ比は、（Ｂ’）成分／（Ａ）成分で表される質量比を示す。
【００６７】
また、各例の液体洗浄剤について、デラミネーションの抑制効果及び外観安定性を以下のように評価した。評価結果を表１〜３に示す。
【００６８】
［デラミネーションの抑制効果の評価］
下記の包装用多層フィルムα及びβをそれぞれ３ｃｍ×３ｃｍに裁断しサンプルとした。次いで、各例の液体洗浄剤をそれぞれＰＳ−６瓶に３０ｍＬずつ採取した。該液体洗浄剤中に前記サンプルを浸漬し、蓋を閉めて密封した。この状態で、５０℃で３６時間保持し、その後７０℃で３６時間保持するサイクルの恒温槽で１か月間保存した。
保存中のサンプルの外観を目視で観察し、下記の基準に基づいてデラミネーションの抑制効果を評価した。○、◎を合格とした。
【００６９】
≪包装用多層フィルムの種類≫
フィルムα：ＮＹ／ＬＬＤＰＥの積層フィルム。
フィルムβ：ＮＹ／ＶＭＰＥＴ／ＬＬＤＰＥの多層フィルム。
≪デラミネーションの抑制効果の評価基準≫
◎：保存開始から３週間超〜１か月間、デラミネーションが発生しなかったもの。
○：保存開始から２週間超〜３週間以内に、デラミネーションが発生したもの。
△：保存開始から１週間超〜２週間以内に、デラミネーションが発生したもの。
×：保存開始から３日間超〜１週間以内に、デラミネーションが発生したもの。
××：保存開始から３日間以内に、デラミネーションが発生したもの。
【００７０】
［外観安定性の評価］
透明のガラス瓶（広口規格びん、ＰＳ−ＮＯ．１１）に、液体洗浄剤１００ｍＬを充填し、蓋を閉めて密封した。この状態で５０℃の恒温槽内に３０日間静置して保存した。
保存後の液体洗浄剤の外観を目視で観察し、下記評価基準に従って外観安定性を評価した。○を合格とした。
○：均一で分離が生じなかった。
×：分離・析出が認められた。又は、液体洗浄剤の製造直後にゲル化もしくは白濁が生じた。
【００７１】
【表１】
2016124890.tif 000002
【００７２】
【表２】
2016124890.tif 000003
【００７３】
【表３】
2016124890.tif 000004
【００７４】
表１〜３に示す結果から、本発明を適用した実施例１〜２１の液体洗浄剤は、デラミネーションの抑制効果に優れ、かつ、外観安定性に優れることが確認できた。
一方、（Ｃ）成分を含有しない液体洗浄剤（比較例１）、（Ｂ）成分に代えて、エタノール又は（Ｂ’）成分を用いた液体洗浄剤（比較例３〜７）は、デラミネーションの抑制効果が充分でなかった。
（Ｂ）成分を含有しない液体洗浄剤（比較例２）は、デラミネーションの抑制効果及び外観安定性が充分でなかった。
以上の結果から、本発明を適用した液体洗浄剤は、デラミネーションの抑制効果に優れ、かつ、外観安定性に優れることが確認できた。
【００７５】
さらに実施例１〜２１の液体洗浄剤をＰＳ−６瓶に３０ｍＬずつ採取し、これに包装用多層フィルムγ（ＰＥＴ／ＮＹ／ＬＬＰＰＥの多層フィルム）を３ｃｍ×３ｃｍに裁断したサンプルを浸漬し、蓋を閉めて密封した。この状態で、５０℃で７２時間保持し、その後７０℃で７２時間保持するサイクルの恒温槽で保存したところ、保存開始から１５日間経過時においてもデラミネーションは発生しなかった。